(57)【要約】【課題】本体内部の２つの集塵室にそれぞれ溜まった塵埃を、簡単な操作で迅速に、かつ、舞い上がる塵埃を少なく抑えつつ、排出することができる電気掃除機を提供する。【解決手段】電気掃除機は、吸引風を生成するための送風機と、上記吸引風に含まれる塵埃を捕集するための第１の集塵室としてのサイクロン分離部４と、上記吸引風に関する下流側において上記吸引風中に含まれる塵埃を捕集するための第２の集塵室としてのフィルタブ６とを備える。上記第１および第２の集塵室は、貯まった塵埃を排出するための第１および第２開口部３１，３２をそれぞれ下端に有し、上記第１および第２開口部３１，３２は、開閉可能な蓋部９によって塞がれており、上記第１および第２開口部３１，３２は、ユーザによる単一の操作によって同時に開放することが可能となっている。【選択図】図６
2008093277.tif 000002
【特許請求の範囲】
【請求項１】
吸引風を生成するための送風機と、
前記吸引風に含まれる塵埃を捕集するための第１の集塵室と、
前記吸引風に関する下流側において前記吸引風中に含まれる塵埃を捕集するための第２の集塵室とを備え、
前記第１および第２の集塵室は、貯まった塵埃を排出するための第１および第２開口部をそれぞれ下端に有し、
前記第１および第２開口部は、開閉可能な蓋部によって塞がれており、
前記第１および第２開口部は、ユーザによる単一の操作によって同時に開放することが可能となっている、電気掃除機。
【請求項２】
前記蓋部は前記第１および第２開口部を一括して塞ぐように形成された一体物の蓋体である、請求項１に記載の電気掃除機。
【請求項３】
前記第１および第２開口部は互いに隣接している、請求項１または２に記載の電気掃除機。
【請求項４】
前記第１および第２の集塵室のうち少なくとも一方の少なくとも下部は、下端に向かってテーパ状に広がっている、請求項１から３のいずれかに記載の電気掃除機。
【請求項５】
前記第１の集塵室は、前記吸引風を円筒室内で回転させることによって生じる遠心分離作用によって塵埃を捕集するためのサイクロン集塵室であり、前記第２の集塵室は、フィルタによって塵埃を捕集するためのフィルタ集塵室である、請求項１から３のいずれかに記載の電気掃除機。
【請求項６】
前記フィルタは、複数の山形状を平行に配置したプリーツ形状を有する、請求項５に記載の電気掃除機。
【請求項７】
前記複数の山形状の各々は、上下方向に延在する形となっている、請求項６に記載の電気掃除機。
【請求項８】
前記フィルタに振動を与えて前記フィルタの前記吸引風に関する上流側に付着した塵埃を離脱させるためのフィルタ除塵機構を備える、請求項５から７のいずれかに記載の電気掃除機。
【請求項９】
前記第１および第２の集塵室のうち少なくとも一方は、上端が開放可能となっている、請求項１から８のいずれかに記載の電気掃除機。
【発明の詳細な説明】
【技術分野】
【０００１】
本発明は、電気掃除機に関するものである。
【背景技術】
【０００２】
従来、サイクロン方式の電気掃除機の外観を図１７に示す。この電気掃除機１０１は、掃除機本体１０２とホース１０３とを備える。この電気掃除機１０１において掃除作業を行なうと、図１８に示すように、塵埃を含んだ空気流４１がホース１０３を経由して掃除機本体１０２に流入する。この電気掃除機１０１はサイクロン方式であるので、空気流４１はサイクロン分離部１０４に導かれ、サイクロン分離部１０４において回転流れ４２となり、回転流れ４２の遠心力によって塵埃５１を分離し、下方にある集塵ケース１０５に塵埃５１を捕捉する、すなわち「集塵」する構成となっている。塵埃５１を分離した後の空気流は、サイクロン分離部１０４から出て、空気流４３，４４としてフィルタ部１０６を通過する。
【０００３】
サイクロン方式の電気掃除機の一例は、特開２００６−６６７５号公報（特許文献１）に記載されている。特許文献１に記載された電気掃除機では、図１９に示すようにサイクロン分離部２０４とフィルタ部２０６とが一体となった状態で掃除機本体から取り出すことができる。これを「取出し部」２１０と呼ぶものとする。取出し部２１０の上側には取っ手２１１が設けられている。フィルタ部２０６の正面にはフィルタ２１５が配置されている。フィルタ部２０６の下部には蝶番２１２が設けられており、上部には係止孔２１３が設けられている。掃除機本体から取出し部２１０を取り出した直後の状態では、係止孔２１３はフック２１４と係合している。フック２１４はボタン２１６と連動して変位する構造となっている。
【０００４】
溜まった塵埃を排出したい場合は、ユーザは取っ手２１１を持って取出し部２１０を掃除機本体から取り外し、ゴミ箱などの上に持ってきてボタン２１６を押す。そうすると、係止孔２１３とフック２１４との係合が解除され、図２０に示すように、フィルタ部２０６は自重により蝶番２１２を回転軸として回動し、サイクロン分離部２０４が開放される。ユーザはこの状態で取出し部２１０全体を傾けるなどして、サイクロン分離部２０４内の塵埃を排出することができる。
【特許文献１】特開２００６−６６７５号公報
【発明の開示】
【発明が解決しようとする課題】
【０００５】
特許文献１に記載された電気掃除機では、溜まった塵埃を排出するためにサイクロン分離部２０４を開放する際には、フィルタ部２０６自体が扉のように回動することとなっていた。しかもこの回動は自重によるものであるのでボタン２１６を押すと瞬時に勢いよく行なわれる。そのため、フィルタ部２０６に保持されているフィルタ２１５に付着していた塵埃やフィルタ２１５の近傍に溜まっていた塵埃が舞い上がるという問題があった。
【０００６】
そこで、本発明は、本体内部の２つの集塵室にそれぞれ溜まった塵埃を、簡単な操作で迅速に、かつ、舞い上がる塵埃を少なく抑えつつ、排出することができる電気掃除機を提供することを目的とする。
【課題を解決するための手段】
【０００７】
上記目的を達成するため、本発明に基づく電気掃除機は、吸引風を生成するための送風機と、上記吸引風に含まれる塵埃を捕集するための第１の集塵室と、上記吸引風に関する下流側において上記吸引風中に含まれる塵埃を捕集するための第２の集塵室とを備え、上記第１および第２の集塵室は、貯まった塵埃を排出するための第１および第２開口部をそれぞれ下端に有し、上記第１および第２開口部は、開閉可能な蓋部によって塞がれており、上記第１および第２開口部は、ユーザによる単一の操作によって同時に開放することが可能となっている。
【発明の効果】
【０００８】
本発明によれば、本体内部の２つの集塵室にそれぞれ溜まった塵埃を、簡単な操作で迅速に、かつ、舞い上がる塵埃を少なく抑えつつ、排出することができる電気掃除機とすることができる。
【発明を実施するための最良の形態】
【０００９】
（実施の形態１）
（構成）
図１〜図６を参照して、本発明に基づく実施の形態１における電気掃除機について説明する。図１に示すように、この電気掃除機１は、サイクロン方式の電気掃除機であり、掃除機本体２とホース３とを備える。掃除機本体２には開閉可能な本体上蓋２ａが設けられている。図１では本体上蓋２ａは閉まっている。本体上蓋２ａは透明または半透明な材料で形成されていてもよい。さらに、電気掃除機１は、掃除機本体２の内部に、図２に模式的に示すように、吸引風を生成するための送風機７と、前記吸引風に含まれる塵埃を捕集するための第１の集塵室としてのサイクロン分離部４と、前記吸引風に関する下流側において前記吸引風中に含まれる塵埃を捕集するための第２の集塵室としてのフィルタ部６とを備える。図２における矢印は吸引風を示している。サイクロン分離部４はホース３から吸引風を受け入れるための流入口１７を有する。フィルタ部６の内部にはフィルタ１５が設置されている。前記第１および第２の集塵室は、貯まった塵埃を排出するための第１および第２開口部をそれぞれ下端に有する。すなわち、第１の集塵室であるサイクロン分離部４は第１開口部３１を下端に有し、第２の集塵室であるフィルタ部６は第２開口部３２を下端に有する。第１および第２開口部３１，３２は、開閉可能な蓋部９によって塞がれている。第１および第２開口部３１，３２は、ユーザによる単一の操作によって同時に開放することが可能となっている。
【００１０】
蓋部９は通常は係止部５２が係止状態にあることによって閉鎖状態が保たれている。サイクロン分離部４内に溜まった塵埃を排出したいときには、ユーザが開放操作部５３を操作することによって係止部５２の係止状態が解除され、蓋部９は自重によって開く。その結果、第１および第２開口部３１，３２は、同時に開放される。
【００１１】
サイクロン分離部４とフィルタ部６とを含む一体的部分である取出し部１０の外観を図３に示す。ユーザは、図４に示すように掃除機本体２の本体上蓋２ａを開け、掃除機本体２の内部に露出する取っ手１１を持って引き上げることで、取出し部１０を一体物として取出すことができる。図３では手前に流入口１７が見えている。図３では蓋部９は閉鎖されている。
【００１２】
図３に示す状態において取出し部１０の上部に配置されている開放操作部５３をスライドさせることによって、蓋部９は自重によって蝶番５４を回転軸として回動し、その結果、図５に示すような状態となる。この状態を斜め下から見たところを図６に示す。蓋部９が開くことによって、第１および第２開口部３１，３２が開放されている。図６では、第２開口部３２を通してフィルタ部６内部のフィルタ１５が見えている。
【００１３】
（作用・効果）
本実施の形態における電気掃除機１によれば、溜まった塵埃を排出する際には、下端に設けられた第１および第２開口部がユーザによる単一の操作によって同時に開放されるので、第１および第２集塵室に溜まった塵埃を同時に一括して排出することができる。この排出は下方の開口部を開いて塵埃を下方に自然落下させることによって行なわれるので、塵埃が舞い上がることは少なく抑えられる。また、開放のための操作は単一の操作で済むので、ユーザに与える負担を軽減することができる。
【００１４】
したがって、本実施の形態によれば、溜まった塵埃を、簡単な操作で迅速に、かつ、舞い上がる塵埃を少なく抑えつつ、排出することができるサイクロン方式の電気掃除機とすることができる。
【００１５】
また、第１および第２集塵室が同時に開放され、両者に溜まっている塵埃を同様に排出できるので、どちらか一方の室の塵埃の排出のみを行なって他方の室の塵埃の排出を怠るといった事態を避けることができる。特に、第１および第２集塵室がそれぞれサイクロン分離部、フィルタ部である場合には、ユーザによっては、塵埃の溜まった度合いが外見からもわかりやすいサイクロン分離部については頻繁に塵埃の排出を行なうが、フィルタ部の方については注目の度合いが低くなり、塵埃を排出する頻度が低くなる場合がある。本実施の形態によれば、そのような好ましくない事態を避けることができる。
【００１６】
以上のように、本実施の形態における電気掃除機によれば、溜まった塵埃を、簡単な操作で迅速に、かつ、舞い上がる塵埃を少なく抑えつつ、排出することができるサイクロン方式の電気掃除機とすることができる。
【００１７】
なお、本実施の形態に示したように、蓋部９は第１および第２開口部３１，３２を一括して塞ぐように形成された一体物の蓋体であることが好ましい。こうすることで、部品点数を少なくすることができる。
【００１８】
本実施の形態に示したように、第１および第２開口部３１，３２は互いに隣接していることが好ましい。こうすることで、蓋部をコンパクトに設計することができる。また、第１および第２開口部３１，３２から排出される塵埃を狭い領域に集中して落下させることができる。したがって、ユーザにとっては、限られた開口面積のゴミ箱、ゴミ袋などに塵埃を投入する際に好都合である。本実施の形態では、図２、図６に示すように、第１および第２開口部３１，３２は、同一平面内に開口している。
【００１９】
第１および第２の集塵室のうち少なくとも一方の少なくとも下部は、下端に向かってテーパ状に広がっていることが好ましい。図３〜図６に示したサイクロン分離部４においても下部は下端に向かってわずかにテーパ状に広がっている。このテーパの度合いを誇張した部分断面図を図７に示す。サイクロン分離部４の下部にテーパ部４ａが設けられている。塵埃５１が多量に溜まったときには、塵埃５１が互いに絡まり合ってサイクロン分離部４の下部の内部空間の形状に沿って立体的に固まりとなる場合があるが、図７に例示したようにテーパ部４ａがあれば、蓋部９を開放したときには、図８に示すように塵埃５１はサイクロン分離部４の内壁にひっかかることなく円滑に落下するので好ましい。また、テーパ部４ａがあれば、内壁が下向きの斜面となるので、内壁に付着している塵埃も落下しやすくなり、好ましい。図７、図８では第１の集塵室としてのサイクロン分離部４の下部が下端に向かってテーパ状に広がっている例を示したが、代りに第２の集塵室としてのフィルタ部６の下部に、下端に向かって広がるテーパ部を設けてもよい。あるいは、第１および第２の集塵室の両方、すなわちサイクロン分離部４およびフィルタ部６の両方において下部に下端に向かって広がるテーパ部を設けてもよい。サイクロン分離部４のうち下部のみでなく全体が下端に向かってテーパ状となっていてもよい。フィルタ部６についても同様である。
【００２０】
本実施の形態では、前記第１の集塵室は、前記吸引風を円筒室内で回転させることによって生じる遠心分離作用によって塵埃を捕集するためのサイクロン集塵室であり、前記第２の集塵室は、フィルタによって塵埃を捕集するためのフィルタ集塵室である。このようになっていれば、サイクロン方式の電気掃除機において本発明を効果的に適用することができる。これまでの説明では、サイクロン分離部４、フィルタ部６と称していたが、これらをそれぞれサイクロン集塵室、フィルタ集塵室と呼んでもよい。
【００２１】
（フィルタの形状）
本実施の形態では、フィルタ部６にフィルタ１５が設置されていたが、このフィルタ１５は、図９に示すように、複数の山形状を平行に配置したプリーツ形状を有することが好ましい。図９におけるＸ−Ｘ線に関する矢視断面図を図１０に示す。図９、図１０では説明の便宜のためにフィルタ１５の外周形を長方形として示しているが、実際には収められる枠の形状などに合わせてフィルタ１５の外周形は適宜定められる。本実施の形態における電気掃除機１においては、このフィルタ１５は図１１に示すようにフィルタ枠６ａに収められて、フィルタ部６内に配置されている。このように複数の山形状を平行に配置したプリーツ形状を有するフィルタを用いることで、限られた開口面積の中でフィルタの表面積を増すことができ、サイクロン分離部４で捕集されなかった塵埃の捕集を効率良く行なうことができる。
【００２２】
さらに、図１１に示すように、前記複数の山形状の各々は、上下方向に延在する形となっていることが好ましい。フィルタ１５の複数の山形状の各々が上下方向に延在する形になっていることは、図６にも表れている。このように山形状が上下方向に延在していれば、図６に示すようにフィルタ部６の下端の第２開口部３２を開放したときに、フィルタ部６内に溜まっている塵埃の落下が山形状によって妨げられることもある程度は避けられる。また、塵埃がたとえフィルタ部６内の上部にあったとしてもプリーツ形状の谷部分を通して円滑に塵埃を排出することができる。
【００２３】
（フィルタ除塵機構）
さらに、本実施の形態における電気掃除機１は、前記フィルタに振動を与えて前記フィルタの前記吸引風に関する上流側に付着した塵埃を離脱させるためのフィルタ除塵機構を備えることが好ましい。フィルタ除塵機構は、フィルタに振動または衝撃を与えることができる機構であれば構造は問わないが、具体的な構造の代表例を以下に２つ示す。
【００２４】
まず、フィルタ除塵機構の第１の例を図１２に示す。図１２は、フィルタ部６ｈを下流側すなわち送風機７に対向する側から見たところである。フィルタ部６ｈは、フィルタ除塵機構６１を備える。フィルタ除塵機構６１は、レール６５と、このレール６５に沿って平行移動可能な移動体６６とを含む。レール６５はフィルタ１５の露出部分を横切るようにしてフィルタ枠６ｂに固定されている。移動体６６は、手前に突出するつまみ６６ａを含んでいる。ユーザは指をつまみ６６ａにひっかけて移動体６６を左右に移動させることができる。移動体６６の裏側にはフィルタ１５に向かって突出する振動生成突起（図示せず）が設けられている。振動生成突起はフィルタ１５に接触する程度の高さで突出している。
【００２５】
移動体６６がレール６５に沿って移動することによって、フィルタ１５の複数の山形状の頂部に対して振動生成突起が繰返し衝突することとなる。言い換えれば、振動生成突起がフィルタ１５の表面をひっかくこととなる。このひっかき動作によって、フィルタ１５に振動が発生する。フィルタ１５に付着する塵埃はほとんどが上流側すなわち図１２における背面側に付着している。そこで、フィルタ１５の清掃を行なうためには、ユーザは蓋部９（図６参照）を開放する前に取出し部ごとフィルタ部６ｈを持って移動体６６を移動させればよい。こうすることで、フィルタ１５に付着していた塵埃は、フィルタ１５から離脱して落下し、フィルタ部６ｈの下部に溜まる。この状態で上述のように蓋部９を開放すれば、フィルタ部６ｈ内にあってフィルタ１５から既に離脱している塵埃は第２開口部３２から円滑に排出される。蓋部９を開放した状態でさらに移動体６６を左右に移動させてフィルタ１５に振動を起こさせてもよい。こうすることによって、フィルタ１５に付着していた塵埃はより確実に排出することができる。また、何らかの事情で、取出し部からフィルタ部６ｈだけを取り外した状態でフィルタ１５の清掃を行なう場合にも、フィルタ除塵機構６１が上側になるようにフィルタ部６ｈを持って移動体６６を移動させることによって、フィルタ１５に付着していた塵埃はユーザの顔から遠い側である下方に落下することとなる。電気掃除機がフィルタ部にこのようなフィルタ除塵機構を備えていれば、ユーザは手を汚さずに簡単な操作で速やかにフィルタを清掃することができる。
【００２６】
フィルタ除塵機構の第２の例を図１３に示す。図１３は、フィルタ部６ｉを下流側すなわち送風機７に対向する側から見たところである。フィルタ部６ｉは、フィルタ除塵機構６２を備える。フィルタ除塵機構６２は、回転体ケース６７と、この回転体ケース６７に収められた回転体６８とを含む。回転体ケース６７は周囲に向かって張り出した数本の脚６４によってフィルタ枠６ｃに固定されている。回転体６８はフィルタ１５の露出部分に沿って配置されている。回転体６８は外縁部を部分的に回転体ケース６７に覆われているが、中央部は露出しており、中心軸６９の周りに回動自在となるように取り付けられている。中心軸６９は回転体６８にとっての仮想的な中心線である。したがって、中心軸６９として必ずしも芯となる部材が存在しなくてもよい。回転体６８は回転体ケース６７に覆われない位置につまみ６８ａを備える。つまみ６８ａは手前に突出しており、ユーザはつまみ６８ａをつまんで中心軸６９の周りに回すことによって回転体６８を回転させることができる。回転体６８の裏側にはフィルタ１５に向かって突出する振動生成突起（図示せず）が設けられている。振動生成突起はフィルタ１５に接触する程度の高さで突出している。回転体６８が中心軸６９の周りに回転することによって、フィルタ１５の複数の山形状の頂部に対して振動生成突起が繰返し衝突することとなる。これによって、フィルタ除塵機構の第１の例について説明したのと同様の効果が得られる。
【００２７】
（上端の開放）
さらに、本実施の形態における電気掃除機１は、前記第１および第２の集塵室のうち少なくとも一方は、上端が開放可能となっていることが好ましい。たとえば、図１４に示すように、第１の集塵室であるサイクロン分離部４の上端が開放可能となっている。この例では、ユーザが取出し部の下部を押さえた状態で取っ手１１を持って引き抜くことによって、サイクロン分離部４の上端を塞いでいた上蓋１２が外れる。このようにサイクロン分離部４の上端が開放可能となっていれば、サイクロン分離部４の内部の清掃がしやすく好都合である。特に、下側の蓋部９を開放しただけでは取りきれない塵埃を除去するためには好都合である。図１４に示した例では、上蓋１２の下部にサイクロン方式に関わる構造物１３が付いているが、このように上蓋１２の下部に何らかの構造物が一体的に付いていてもよい。その場合、上蓋１２を外すことによってサイクロン分離部４は上端が開放されるだけでなく内部も空になり、掃除がしやすくなる。この状態で図１３に示すように下側の蓋部９も開放すれば、サイクロン分離部４は貫通した筒状となり、内部の清掃がきわめて容易となる。また、上蓋１２とともに構造物１３がサイクロン分離部４から完全に抜き出されることによって、構造物１３の清掃も容易となる。
【００２８】
ここでは、第１の集塵室であるサイクロン分離部４の上端が開放可能となっている例を示したが、第２の集塵室の上端が開放可能となっていることも好ましい。第１および第２の集塵室の両方の上端が開放可能となっていてもよい。
【００２９】
（蓋部）
本実施の形態では、下端を塞ぐ蓋部９が一体物である例を示したが、第１および第２の集塵室の下端の第１および第２開口部を塞ぐ部材は一体物でなく、図１５、図１６に示すように、複数に分かれていてもよい。図１５に示す取出し部１０ｊは、左右両開きの蓋部９ｊを備えている。蓋部９ｊは図示しない開放操作部をスライドさせることによって左右同時に開放される。図１６に示す取出し部１０ｋは、蓋部９ｋ１，９ｋ２を備えている。蓋部９ｋ１，９ｋ２はそれぞれ第１，第２開口部３１，３２を個別に塞ぐものであるが、開放時には図示しない開放操作部をスライドさせることによって同時に開放される構造となっている。取出し部１０ｊ，１０ｋの蓋部以外の部分の構成は上述した取出し部１０と同様である。本実施の形態における電気掃除機は、このような取出し部１０ｊまたは１０ｋを備える電気掃除機であってもよい。ただし、蓋部は一体物であることが好ましいのは、上述したとおりである。
【００３０】
（開放操作部）
なお、本実施の形態では、下端の蓋部を開放させるために開放操作部に対して加える具体的操作としては側方にスライドさせるという操作を前提にして説明したが、ユーザによるいわゆるワンアクションで完了できる操作であれば、スライド以外の操作であってもよい。たとえば、ボタンを押す、レバーを引く、回転体を回す、などの操作であってもよい。この操作はユーザが指１本でできる操作となっていることが好ましい。
【００３１】
なお、本実施の形態では、２つの集塵室がそれぞれサイクロン分離部とフィルタ部とである例を示したが、２つの集塵室はこれら以外の組合せであってもよい。本発明における２つの集塵室は、吸引風に含まれる塵埃を捕集するための第１の集塵室と、吸引風に関する下流側において吸引風に含まれる塵埃を捕集するための第２の集塵室とに該当していればよい。本発明の適用対象となる電気掃除機はサイクロン方式でなく他の方式のものであってもよい。
【００３２】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００３３】
【図１】本発明に基づく実施の形態１における電気掃除機の斜視図である。
【図２】本発明に基づく実施の形態１における電気掃除機の掃除機本体内部の概念図である。
【図３】本発明に基づく実施の形態１における電気掃除機の取出し部の斜視図である。
【図４】本発明に基づく実施の形態１における電気掃除機の掃除機本体の本体上蓋を開けた状態の斜視図である。
【図５】本発明に基づく実施の形態１において取出し部の下端を開放した状態の第１の斜視図である。
【図６】本発明に基づく実施の形態１において取出し部の下端を開放した状態の第２の斜視図である。
【図７】本発明に基づく実施の形態１においてサイクロン分離部の下部の説明図である。
【図８】本発明に基づく実施の形態１においてサイクロン分離部から塵埃を落下させる様子の説明図である。
【図９】本発明に基づく実施の形態１における電気掃除機に用いられているフィルタの斜視図である。
【図１０】図９におけるＸ−Ｘ線に関する矢視断面図である。
【図１１】本発明に基づく実施の形態１においてフィルタがフィルタ枠に収まっている様子の斜視図である。
【図１２】本発明に基づく実施の形態１における電気掃除機に用いられるフィルタ除塵機構の第１の例の斜視図である。
【図１３】本発明に基づく実施の形態１における電気掃除機に用いられるフィルタ除塵機構の第２の例の斜視図である。
【図１４】本発明に基づく実施の形態１における電気掃除機の取出し部の上蓋を外した状態の説明図である。
【図１５】本発明に基づく実施の形態１における電気掃除機の取出し部の蓋部の第１の変形例の説明図である。
【図１６】本発明に基づく実施の形態１における電気掃除機の取出し部の蓋部の第２の変形例の説明図である。
【図１７】従来技術に基づく電気掃除機の斜視図である。
【図１８】従来技術に基づく電気掃除機におけるサイクロン方式の説明図である。
【図１９】従来技術に基づく電気掃除機の取出し部の斜視図である。
【図２０】従来技術に基づく電気掃除機の取出し部を開いた状態の斜視図である。
【符号の説明】
【００３４】
１，１０１  電気掃除機、２，１０２  掃除機本体、２ａ  本体上蓋、３，１０３  ホース、４，１０４，２０４  サイクロン分離部、４ａ  テーパ部、６，６ｈ，６ｉ，１０６，２０６  フィルタ部、６ａ，６ｂ，６ｃ  フィルタ枠、７  送風機、９，９ｊ，９ｋ１，９ｋ２  蓋部、１０，１０ｊ，１０ｋ  取出し部、１１  取っ手、１２  （サイクロン分離部の）上蓋、１３  （サイクロン方式に関わる）構造物、１５，２１５  フィルタ、１７  流入口、３１  第１開口部、３２  第２開口部、４１  （ホースから入ってくる）空気流、４２  回転流れ、４３，４４  （フィルタ部を通過する）空気流、５１  塵埃、５２  係止部、５３  開放操作部、５４  蝶番、６１，６２  フィルタ除塵機構、６５  レール、６６  移動体、６６ａ，６８ａ  つまみ、６７  回転体ケース、６８  回転体、６９  中心軸、１０５  集塵ケース、２１０  取出し部、２１１  取っ手、２１２  蝶番、２１３  係止孔、２１４  フック、２１６  ボタン。
【図１】
2008093277.tif 000003
【図２】
2008093277.tif 000004
【図３】
2008093277.tif 000005
【図４】
2008093277.tif 000006
【図５】
2008093277.tif 000007
【図６】
2008093277.tif 000008
【図７】
2008093277.tif 000009
【図８】
2008093277.tif 000010
【図９】
2008093277.tif 000011
【図１０】
2008093277.tif 000012
【図１１】
2008093277.tif 000013
【図１２】
2008093277.tif 000014
【図１３】
2008093277.tif 000015
【図１４】
2008093277.tif 000016
【図１５】
2008093277.tif 000017
【図１６】
2008093277.tif 000018
【図１７】
2008093277.tif 000019
【図１８】
2008093277.tif 000020
【図１９】
2008093277.tif 000021
【図２０】
2008093277.tif 000022